(57)【要約】【課題】立体ギャザーが一定方向に確実に起立しうる吸収性物品を提供する。【解決手段】バックシート１２と、液状の排泄物を吸収して保持する吸収体１４と、吸収体１４の長手方向の両側縁に沿うように一対の起立可能な立体ギャザー１７とを備えるパンツ型紙おむつにおいて、立体ギャザー１７の先端部１７Ａが吸収体１４上のトップシート１１に水溶性の接着剤Ｇによって剥離可能に接着されている。【選択図】      図２
2004298456.tif 000002
【特許請求の範囲】
【請求項１】
バックシートと、液状の排泄物を吸収して保持する吸収体と、該吸収体の長手方向の両側縁に沿うように一対の起立可能な立体ギャザーとを備える吸収性物品において、
前記立体ギャザーの先端部が前記吸収体上に剥離可能に接着されていることを特徴とする、吸収性物品。
【請求項２】
前記立体ギャザーの先端部が前記吸収体上に水溶性の接着剤によって剥離可能に接着されていることを特徴とする、請求項１に記載の吸収性物品。
【請求項３】
前記立体ギャザーの先端部が前記吸収体上に熱溶融性の接着剤によって剥離可能に接着されていることを特徴とする、請求項１に記載の吸収性物品。
【請求項４】
前記吸収体上に液透過性のトップシートを備え、該トップシートに前記立体ギャザーの先端部が剥離可能に接着されていることを特徴とする、請求項１ないし３のいずれかに記載の吸収性物品。
【発明の詳細な説明】
【０００１】
【発明の属する技術分野】
この発明は、バックシートと、液状の排泄物を吸収して保持する吸収体と、その吸収体の長手方向の両側縁に沿うように一対の起立可能な立体ギャザーとを備える、紙おむつ、尿取りパッド、生理用ナプキンなどの吸収性物品に関する。
【０００２】
【従来の技術】
従来の吸収性物品の一例としてのパンツ型紙おむつは、図６に示すように、液透過性のトップシート１と液不透過性のバックシート２と、それらの間に介在する吸収体３、吸収体３の長手方向の両側縁に沿うように脚周りからの排泄物の漏れを防止するための一対の起立可能な立体ギャザー４Ａ，４Ｂを備える。この立体ギャザー４Ａ，４Ｂには、複数の弾性部材５を伸張状態で接着して備える。立体ギャザー４Ａ，４Ｂは、紙おむつの製造時にはトップシート１上に折り畳んで備えられている。
【０００３】
そして、このパンツ型紙おむつを着用すると、立体ギャザー４Ａ，４Ｂが弾性部材５の引張力によって起立して着用者の脚周りにフィットし、液状の排泄物が脚回りから漏れるのを防止する。
【０００４】
しかし、このような従来のパンツ型紙おむつでは、紙おむつを着用したとき、特に股間部において、図７に示すように、立体ギャザー４Ａ，４Ｂの起立する方向を確定することが困難であり着用者の意に反して、例えば立体ギャザー４Ａが外向きに起立し、立体ギャザー４Ｂが内向きに起立してしまうという問題があった。
【０００５】
そこで、製造時に立体ギャザーの長手方向前後端部をトップシート上に接着して固定し、立体ギャザーを一定方向に起立させるという技術が開示されている（例えば、特許文献１）。
【０００６】
【特許文献１】
特開２００３−３３３９４号公報
【０００７】
【発明が解決しようとする課題】
しかし、立体ギャザーの長手方向前後端部のみをトップシート上に接着して固定しているので、パンツ型紙おむつを使用する際に、立体ギャザー全体が一定方向に確実に起立せず、着用者と立体ギャザーとの間に隙間ができて尿漏れを生じたり、確実にポケットを確保できないため排泄物を十分に保持することができないという問題があった。
そこで、この発明の目的は、立体ギャザーが一定方向に確実に起立しうる吸収性物品を提供することにある。
【０００８】
【課題を解決するための手段】
このため、請求項１に記載の発明は、バックシートと、液状の排泄物を吸収して保持する吸収体と、該吸収体の長手方向の両側縁に沿うように一対の起立可能な立体ギャザーとを備える吸収性物品において、
前記立体ギャザーの先端部が前記吸収体上に剥離可能に接着されていることを特徴とする。
【０００９】
したがって、立体ギャザー全体が内向きに確実に起立しうる吸収性物品を提供することができる。これによって、立体ギャザーの内側にポケットを確実に形成することができ、排泄物をより多く保持することができる。
【００１０】
請求項２に記載の発明は、請求項１に記載の吸収性物品において、前記立体ギャザーの先端部が前記吸収体上に水溶性の接着剤によって剥離可能に接着されていることを特徴とする。
【００１１】
したがって、装着した後、最初の液状の排泄物が接着剤に達すると溶融するので、簡単な構成で立体ギャザーが内向きに確実に起立しうる吸収性物品を提供することができる。
【００１２】
請求項３に記載の発明は、請求項１に記載の吸収性物品において、前記立体ギャザーの先端部が前記吸収体上に熱溶融性の接着剤によって剥離可能に接着されていることを特徴とする。
【００１３】
したがって、装着した後、装着者の体温が接着剤に達すると熱溶融するので、簡単な構成で立体ギャザーが内向きに確実に起立しうる吸収性物品を提供することができる。
【００１４】
請求項４に記載の発明は、請求項１ないし３のいずれかに記載の吸収性物品において、前記吸収体上に液透過性のトップシートを備え、該トップシートに前記立体ギャザーの先端部が剥離可能に接着されていることを特徴とする。
【００１５】
したがって、液状の排泄物を液透過性のトップシートによって確実に吸収体に浸透させるので、トップシート上を液状の排泄物が流れて横漏れすることを防止することができる。
【００１６】
【発明の実施の形態】
以下、図面を参照しつつ、この発明の実施の形態につき説明する。
は、この発明の吸収性物品の一例としてのパンツ型紙おむつの展開図である。パンツ型紙おむつは、矩形の長辺のほぼ中央部分にそれぞれ切り欠きＣを設けた液不透過性のポリエチレンシートと不織布を張り合わせてなるバックシート１２と、メッシュ状の孔を複数有する不織布やフィルムなどを矩形に形成した液透過性のトップシート１１と、その間に介在する綿状パルプに高分子吸収体ポリマーを散在させた吸収体１４を備える。この吸収体１４は、表面を吸収用のティシュペーパー１８で覆われている。
【００１７】
また、トップシート１１上には、吸収体１４の長手方向Ａの両側縁に沿うように一対の起立可能な立体ギャザー１７を備える。そして、立体ギャザー１７の長手方向Ａの両端部には、前身頃と後身頃のフラップ部分までをも覆うギャザー抑えシート２８を重ねる。このギャザー抑えシート２８とバックシート１２との間には、幅方向Ｂに沿って、糸ゴム２０を伸張状態で配置し、接着剤などで接合する。
【００１８】
トップシート１１は、液透過性の不織布、織布、多孔性プラスチックフィルム等であり、その構成繊維は、ポリプロピレン、ポリエチレン、ポリエステル、ナイロン等の単繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００１９】
バックシート１２は、例えば、ポリエチレン等の液不透過性フィルム、液体不透過性フィルムと不織布あるいは織布を貼り合わせた素材等である。より好ましくは、ムレを防止するために、液体を透過させない程度の多数の微孔を設けたポリエチレン製フィルムや、熱可塑性樹脂にフィラーを加えて延伸した透湿性のあるフィルム、あるいはこれらのフィルムの外側に不織布、織布を貼り合わせた複合シートを用いると、透湿性や肌触り等を快適なものとすることができる。
【００２０】
吸収体１４は、液状の排泄物を吸収して保持するためのものであり、綿状パルプ、高吸収性ポリマー（以後省略して、「ＳＡＰ」という。）、親水性シート等からなる。また、本発明において使用される吸収体１４は、従来のパンツ型紙おむつなどの吸収性物品において通常使用される公知の吸収性材料から作られている。
【００２１】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートであるティユペーパー１８で包んで形成したものを使用することができる。また、必要に応じて綿状パルプに対して３〜６０重量％の熱融着性物質を混合して熱圧着してもよい。もしくは、ＳＡＰのみが親水性シートにより包まれているものでも良い。
【００２２】
綿状パルプとしては、化学パルプシートもしくは、機械パルプシートを粉砕機で解繊したものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜４００ｇ／ｍ２にされる。
【００２３】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００２４】
ところで、この例の立体ギャザー１７は、詳しくは図２のように備えられている。すなわち、立体ギャザー１７は、撥水処理された矩形の不織布などからなるギャザーシート２７を長辺方向に山折りにし、その内側に例えば糸ゴムや帯状ゴムなどの弾性部材２６Ａと弾性部材２６Ｂとをギャザーシート２７の長辺方向に沿って伸張状態で挟み込むようにして配置した後、ギャザーシート２７の内側同士をホットメルト接着剤によって接着してなる。なお、弾性部材２６Ａは、主に立体ギャザー１７を起立させるためのものであり、弾性部材２６Ｂは、主に、着用者の身体に立体ギャザー１７を当接させるためのものである。
【００２５】
この例では、弾性部材２６Ａの収縮力を弾性部材２６Ｂの収縮力よりも大きくしている。したがって、弾性部材２６Ａは確実に立体ギャザー１７を起立させる一方、弾性部材２６Ｂは、立体ギャザー１７の先端部１７Ａを着用者の脚回りに適度の力で当接させるようになっている。
そして、立体ギャザー１７の端部１７Ｂをティシュペーパー１８とバックシート１２との間に巻き込みホットメルト接着剤などで接着してなる。
【００２６】
さらに、立体ギャザー１７は折り畳まれて先端部１７Ａがトップシート１１上に水溶性の接着剤Ｇで剥離可能に接着されてなる。この接着剤Ｇとしては、例えば尿や汗などの水分で溶融しうる水溶性のホットメルト接着剤（例えば、日本エヌエスシー株式会社製の水分散性ホットメルト型接着剤  １０５９０−５８Ａなど）を用いる。なお、接着剤Ｇの塗布方法は、点状、線状などどのようであってもよい。
【００２７】
そして、図１の側端２１Ａと側端２１Ｂ、側端２２Ａと側端２２Ｂとをそれぞれ貼り合わせると、図３に示すように、胴回り開口部２３と１対の脚回り開口部２４Ａ，２４Ｂとが形成されたパンツ型紙おむつとなる。
【００２８】
このように構成されたパンツ型紙おむつを使用するときは、パンツ型の下着を着用するときのように、両方の足をそれぞれ胴回り開口部２３から紙おむつに挿入し、右足を脚回り開口部２４Ａより、また、左足を脚回り開口部２４Ｂよりそれぞれ外部へ出しながら、紙おむつを引き上げ、股間部を底部２５にあてるようにして着用すると、糸ゴム２０によって形成されたウエストギャザーによって、着用者の腹部と腰部に紙おむつがフィットする。すると、図４（Ａ）のように、着用者Ｂの左右の脚回りには、それぞれ立体ギャザー１７の先端部１７Ａが当接してフィットする。
【００２９】
そして、着用者Ｂの発汗や尿などが水溶性の接着剤Ｇに浸透すると、接着剤Ｇが溶解して先端部１７Ａがトップシート１１から解放され、弾性部材２６Ａの起立力によって立体ギャザー１７全体が図４（Ｂ）に示すように確実に内向きに起立して、ポケットＰを確実に形成することができる。
【００３０】
使用後は、着用するときと逆の順序でパンツ型紙おむつを脱ぎ、適宜丸めて不図示の後処理テープなどで止めて廃棄する。
【００３１】
なお、この例では、立体ギャザー１７が内向きに起立するように、立体ギャザー１７をトップシート１１上に折り畳み、先端部１７Ａを接着剤Ｇでトップシート１１上に接着したが、この発明はこれに限定されるものではなく、図５に示すように、立体ギャザー１７を外向きに折り畳み、その先端部１７Ａをバックシート１２などに接着剤で接着するようにしてもよい。
【００３２】
この場合は、立体ギャザー１７の外側に先端部１７Ａを接着剤で固定するので、着用者Ｂの尿や発汗によって接着剤を溶解させることは容易ではない。したがって、上述の水溶性の接着剤Ｇとは異なり、一定の温度に達すると溶融する熱溶融性の接着剤を用いて、剥離可能に接着するとよい。もちろん、この熱溶融性の接着剤を前述の例の接着剤Ｇとして用いてもよい。
【００３３】
このようなパンツ型紙おむつは、着用して一定時間が経過すると、着用者の体温が伝達されて接着剤が熱溶融し、バックシート１２などに接着されていた立体ギャザー１７の先端部１７Ａが解放され、弾性部材２６Ａの起立力によって確実に外向きに起立する。
【００３４】
なお、上述の例では、トップシート１１を備えたパンツ型紙おむつのトップシート１１に立体ギャザー１７の先端部１７Ａを接着剤Ｇにより接着したが、必ずしもトップシートを備える必要はなく、吸収体１４上に先端部１７Ａを接着剤Ｇにより直接、接着してもよい。
【００３５】
また、上述の例では、紙おむつの前身頃１６と後身頃１９には、幅方向Ｂに沿って、トップシート１１とバックシート１２との間に、糸ゴム２０を適宜配置して伸張状態で配置し、接合したが、この発明はこれに限定されるものではなく、糸ゴムを配置しなくてもよい。
【００３６】
さらに、上述の例では、バックシート１２を液不透過性としたが、この発明はこれに限定されるものではなく、バックシート１２を液透過性としてもよい。例えば、この発明を尿取りパッドとして適用した場合、その尿取りパッドをテープ型紙おむつのトップシート上に重ねて併用する際、尿取りパッドのバックシートを液透過性とすると、尿取りパッドで吸収した尿などの排泄物を、液透過性のバックシートを介してテープ型紙おむつの吸収体に浸透させることができ、尿取りパッドの尿吸収量を増加させることができる。
【００３７】
また、この例はパンツ型紙おむつについて説明したが、この発明はこれに限定されるものではなく、テープ型紙おむつ、尿取りパッド、生理用ナプキンなどあらゆる吸収性物品に適用しうる。
【００３８】
【発明の効果】
以上、詳述したように、この発明によれば、立体ギャザーが一定方向に確実に起立しうる吸収性物品を提供することができる。
【図面の簡単な説明】
【図１】この発明の吸収性物品の一例としてのパンツ型紙おむつの展開図である。
【図２】図１のパンツ型紙おむつのＸ−Ｘ線断面図である。
【図３】図１のパンツ型紙おむつの斜視図である。
【図４】図１のパンツ型紙おむつの立体ギャザーが起立する様子を説明するためのＸ−Ｘ線断面図であり、（ａ）は装着直後の断面図、（ｂ）は接着剤が溶解した時の断面図である。
【図５】この発明の別の吸収性物品の一例としてのパンツ型紙おむつの断面図である。
【図６】従来のパンツ型紙おむつの断面図である。
【図７】図６のパンツ型紙おむつの立体ギャザーが起立した状態を説明する断面図である。
【符号の説明】
１１    トップシート
１２    バックシート
１４    吸収体
１６    前身頃
１７    立体ギャザー
１７Ａ    先端部
１７Ｂ    貼り合わせ端部
１８    ティシュペーパー
１９    後身頃
２１Ａ，２１Ｂ，２２Ａ，２２Ｂ    側端
２６Ａ，２６Ｂ    弾性部材
２７    ギャザーシート
２８    ギャザー抑えシート
Ｃ    切り欠き
Ｇ    接着剤
Ｐ    ポケット
【図１】
2004298456.tif 000003
【図２】
2004298456.tif 000004
【図３】
2004298456.tif 000005
【図４】
2004298456.tif 000006
【図５】
2004298456.tif 000007
【図６】
2004298456.tif 000008
【図７】
2004298456.tif 000009